(57)【要約】【課題】外側板と凹凸状に成形した内側板の通気用開口部と、除塵スクリーンとの間で良好なシール性能を保つことができるドアパネルを提供する。【解決手段】外側板21および凹凸状の内側板23の接合部27に開口した通気用開口部25の周縁に沿ってシール部材93を貼付する。内側板23からシール部材93を経て通気用開口部25に膨出する形状に成形した多孔金属板状の除塵スクリーン71を、内側板23に固定する。【選択図】図１
2010043481.tif 000002
【特許請求の範囲】
【請求項１】
外側板と、
外側板に対して凹凸状に成形されて外側板の内側面に接合された接合部を有する内側板と、
接合部に開口された通気用開口部と、
通気用開口部に設けられた多孔金属板により成形された除塵スクリーンと、
通気用開口部の周縁に沿って内側板に貼付され、除塵スクリーンと内側板との間をシールするシール部材とを具備し、
除塵スクリーンは、
内側板からシール部材を経て通気用開口部に膨出される形状に成形され、内側板に固定された
ことを特徴とするドアパネル。
【請求項２】
シール部材は、
撥水性を有するシール本体と、
シール本体の除塵スクリーンとの接触面に設けられた保護フィルムと
を具備したことを特徴とする請求項１記載のドアパネル。
【請求項３】
除塵スクリーンは、厚さ１ｍｍ以下のメタルシートに穴径１ｍｍ〜５ｍｍの通気穴が穿設されたパンチングメタルである
ことを特徴とする請求項１または２記載のドアパネル。
【請求項４】
除塵スクリーンは、複数の位置決め用変形部を備え、
内側板は、各位置決め用変形部とそれぞれ嵌合する複数の除塵スクリーン位置決め用変形部を備えた
ことを特徴とする請求項１乃至３のいずれか記載のドアパネル。
【請求項５】
除塵スクリーンは、一側縁部および反対側の他側縁部に相互に対向する方向に切込み形成された複数の固定溝をそれぞれ備え、
内側板は、除塵スクリーンの各固定溝にそれぞれ挿入される複数のスタッドボルトを備え、
各スタッドボルトにそれぞれ螺合されて除塵スクリーンを固定するナットを備えた
ことを特徴とする請求項１乃至４のいずれか記載のドアパネル。
【発明の詳細な説明】
【技術分野】
【０００１】
本発明は、除塵スクリーンを備えたドアパネルに関する。
【背景技術】
【０００２】
油圧ショベルなどの作業機械のサイドドアなどに用いられるドアパネル構造としては、外側板の内側面に、外側板に対して凹凸状にプレス成形された内側板が固定された２重構造のカバー体構造がある（例えば、特許文献１参照）。
【特許文献１】特開平９−２２８４１２号公報（第３頁、図６−８）
【発明の開示】
【発明が解決しようとする課題】
【０００３】
このような外側板の内側面に凹凸状にプレス成形された内側板が固定された２重構造のドアパネルをラジエータ室などに適用する場合は、２重構造のカバー体に通気用開口部を設ける必要がある。
【０００４】
その場合は、通気用開口部に除塵スクリーンを設置するが、凹凸状にプレス成形された内側板の通気用開口部と除塵スクリーンとの間で良好なシール性能を保つことは容易でない。
【０００５】
本発明は、このような点に鑑みなされたもので、外側板に対して凹凸状に成形された内側板の通気用開口部と除塵スクリーンとの間で良好なシール性能を保つことができるドアパネルを提供することを目的とする。
【課題を解決するための手段】
【０００６】
請求項１に記載された発明は、外側板と、外側板に対して凹凸状に成形されて外側板の内側面に接合された接合部を有する内側板と、接合部に開口された通気用開口部と、通気用開口部に設けられた多孔金属板により成形された除塵スクリーンと、通気用開口部の周縁に沿って内側板に貼付され、除塵スクリーンと内側板との間をシールするシール部材とを具備し、除塵スクリーンは、内側板からシール部材を経て通気用開口部に膨出される形状に成形され、内側板に固定されたドアパネルである。
【０００７】
請求項２に記載された発明は、請求項１記載のドアパネルにおけるシール部材が、撥水性を有するシール本体と、シール本体の除塵スクリーンとの接触面に設けられた保護フィルムとを具備したものである。
【０００８】
請求項３に記載された発明は、請求項１または２記載のドアパネルにおける除塵スクリーンを、厚さ１ｍｍ以下のメタルシートに穴径１ｍｍ〜５ｍｍの通気穴が穿設されたパンチングメタルとしたものである。
【０００９】
請求項４に記載された発明は、請求項１乃至３のいずれか記載のドアパネルにおける除塵スクリーンが、複数の位置決め用変形部を備え、内側板は、各位置決め用変形部とそれぞれ嵌合する複数の除塵スクリーン位置決め用変形部を備えたものである。
【００１０】
請求項５に記載された発明は、請求項１乃至４のいずれか記載のドアパネルにおける除塵スクリーンが、一側縁部および反対側の他側縁部に相互に対向する方向に切込み形成された複数の固定溝をそれぞれ備え、内側板は、除塵スクリーンの各固定溝にそれぞれ挿入される複数のスタッドボルトを備え、各スタッドボルトにそれぞれ螺合されて除塵スクリーンを固定するナットを備えたものである。
【発明の効果】
【００１１】
請求項１に記載された発明によれば、通気用開口部を有する外側板および内側板からなるドアパネルにおいて、除塵スクリーンが、内側板から、通気用開口部の周縁に沿って内側板に貼付されたシール部材を経て、通気用開口部に膨出される形状に成形されたので、除塵スクリーンから全周縁のシール部材に均等にシール圧が作用して、内側板と除塵スクリーンとの隙間からドアパネル内側に塵埃が侵入することを阻止する良好なシール性能を保つことができる。また、内側板に固定された除塵スクリーンが、通気用開口部に膨出される形状に成形された多孔金属板であるので、この除塵スクリーンを薄くしても、膨出形状により変形に対し一定の強度を保持できる。さらに、内側板および外側板の通気用開口部内に除塵スクリーンの膨出部分を嵌合するようにしながら、また、シール部材により除塵スクリーンと内側板との間のメタルタッチを防止しながら、除塵スクリーンを通気用開口部に容易に取付けることができる。
【００１２】
請求項２に記載された発明によれば、撥水性を有するシール本体により、シール本体が金属の錆の原因となる水分を吸収保持することがなく、内側板などに錆が発生するおそれを防止でき、また、シール本体の除塵スクリーンとの接触面に設けられた保護フィルムにより、多孔状の除塵スクリーンがシール本体を削る作用を防止でき、シール部材の耐久性を向上できる。
【００１３】
請求項３に記載された発明によれば、厚さ１ｍｍ以下のメタルシートであれば穴径１ｍｍ〜５ｍｍの通気穴が穿設されたパンチングメタルを製造することが可能であり、この穴径のパンチングメタルによれば、空気中の塵埃除去にも一定の効果がある。
【００１４】
請求項４に記載された発明によれば、除塵スクリーンの複数の位置決め用変形部を、内側板の複数の除塵スクリーン位置決め用変形部に嵌合することで、除塵スクリーンを通気用開口部に容易かつ正確に位置決めでき、除塵スクリーンの組付け時の作業性および作業精度を向上できる。
【００１５】
請求項５に記載された発明によれば、除塵スクリーンの一側縁部に切込み形成された複数の固定溝を、内側板の対応するスタッドボルトに一側端から差込むとともに内側板に押付け、そこを軸または支えとして除塵スクリーンの反対側の他側縁部を内側板に押し当てることで、除塵スクリーンの他側縁部に切込み形成された複数の固定溝を、内側板の対応するスタッドボルトに容易に嵌着でき、各スタッドボルトに螺合されたナットにより除塵スクリーンを内側板に容易に固定でき、除塵スクリーンの固定時の作業性を向上できる。
【発明を実施するための最良の形態】
【００１６】
以下、本発明を、図１乃至図１４に示された一実施の形態、図１５乃至図１７に示された他の実施の形態を参照しながら詳細に説明する。
【００１７】
図１１は、作業機械としての油圧ショベル10を示し、下部走行体11に上部旋回体12が旋回可能に設けられ、この上部旋回体12上にキャブ13、作業装置14、エンジンなどの動力装置15が搭載されている。動力装置15は、上部カバー16およびサイドドア17などにより覆われている。
【００１８】
図１２は、ラジエータ室に設けられたサイドドア17を示し、このサイドドア17は、後述するヒンジ53，54により機体側フレームに開閉自在に取付けられ、反対側に取付けられたラッチ装置19rにより、閉じ状態が保持される。
【００１９】
このサイドドア17は、図１３に示されたドアパネル20の裏面に、図１４に示された除塵スクリーン71が脱着可能に取付けられたものであり、これらの詳細は以下に説明する。
【００２０】
図１は、サイドドア17のドアパネル20を示し、このドアパネル20は、外側板21と、この外側板21に対し凹凸状にプレス成形されて外側板21の内側面に凹部を接合されるとともに凸部と外側板21との間に空間22を形成する内側板23と、これらの外側板21と内側板23との間の空間22に充填された発泡材24とを具備している。外側板21および内側板23の接合部27には、図１３に示されるように３列の通気用開口部25が開口されている。
【００２１】
外側板21は、内側板23の１．２〜５．０倍の板厚にする。言い換えれば、内側板23は、外側板21より薄い板厚の鉄板を用いる。例えば、外側板21を１．２ｍｍの鉄板とした場合、内側板23は、相反する強度と加工性とを満足するために、０．６ｍｍ、０．８ｍｍなどの鉄板を用いることが望ましい。
【００２２】
発泡材24は、外側板21または内側板23の内面に貼付された未発泡状態のシート状の発泡素材を、外側板21と内側板23との間の空間22内で加熱して発泡させ、成形する。発泡素材は、２０倍程度の体積膨張率を有する高発泡性のゴム系吸音材が望ましい。発泡素材の加熱は、焼付塗装用加熱炉を用いて、焼付塗装と同時に行なうことが望ましい。
【００２３】
図１に示されるように、内側板23は、外側板21に接合された開口側の接合部27および外周側の接合部28と、これらの接合部27，28に対し膨出成形された凸部29とを具備している。
【００２４】
図２に示されるように、この内側板23の凸部29は、ヒンジ取付側の補強板収納凸部29aと、最上段、上から第３段および最下段の横方向に成形された太い横梁状の補強用凸部29bと、上から第２段の横方向に成形された小型断面の補強用凸部29cと、ラッチ取付側の補強用凸部29dとで構成されている。
【００２５】
太い横梁状の補強用凸部29bには、縦方向に凹状の強化用凹部30が形成されている。小型断面の補強用凸部29cは、通気用開口部25の開口面積を確保するために、補強用凸部29bより小幅かつ低く形成され、補強用凸部29bの強化用凹部30が形成されていない。
【００２６】
内側板23の接合部27には、外側板21に開口された３列の通気用開口部25aと対応して、これらの外側板21の通気用開口部25aよりやや大きな通気用開口部25bがそれぞれ穴加工により設けられている。
【００２７】
図１に示されるように、外側板21の外周縁部は、内側板23の周縁部を包みこむように折返し平坦に押しつぶして形成したヘミング加工部33により、内側板23の周縁部を咬込み結合する。内側板23の接合部27，28は、接着剤34により外側板21に接着され、この接着剤34により外側板21と内側板23の接合部27，28とを接合するとともにシールする。接着剤34は、粘性と熱硬化性を有するペーストタイプ構造用接着剤が望ましい。
【００２８】
図４に示されるように、外側板21と、この外側板21に対し位置決めされて外側板21の内側面に固定された内側板23との間で挟まれるようにして、ヒンジ取付用の内部補強板41が固定されている。
【００２９】
この内部補強板41は、図２に示されるように中央部に凹状補強部42が細長く設けられ、この凹状補強部42の一端側および他端側にヒンジ取付凸部43，44がそれぞれ平面状に成形され、これらのヒンジ取付凸部43，44に複数のボルト挿入孔43h，44hがそれぞれ穿設され、また、これらのヒンジ取付凸部43，44の周囲に補強凹部43c，44cがそれぞれ設けられ、また、各ヒンジ取付凸部43，44の中央部であって２つのボルト挿入孔43h，43hの間および２つのボルト挿入孔44h，44hの間に、一方の位置決め用嵌合部45および他方の位置決め用嵌合部46が凹状に形成されている。
【００３０】
この内部補強板41に対し、図２に示されるように内側板23のヒンジ取付側の補強板収納凸部29aの中央部には、内部補強板41の凹状補強部42と嵌合される凹状補強部47が細長く設けられ、この凹状補強部47の一端側および他端側にヒンジ取付面部48，49がそれぞれ平面状に成形され、これらのヒンジ取付面部48，49に複数のボルト挿入孔48h，49hがそれぞれ穿設され、また、これらのヒンジ取付面部48，49の周囲に補強凹溝部48c，49cがそれぞれ設けられ、また、各ヒンジ取付面部48，49の中央部であって２つのボルト挿入孔48h，48hの間および２つのボルト挿入孔49h，49hの間に、一方の位置決め用嵌合部51および他方の位置決め用嵌合部52がそれぞれ下方へ突出する凸状に形成されている。
【００３１】
そして、内側板23のヒンジ取付面部48，49に設けられた位置決め用嵌合部51，52と、内部補強板41のヒンジ取付凸部43，44に設けられた位置決め用嵌合部45，46とが、相互に嵌合して、内側板23に対し内部補強板41を位置決めする。この位置決めにより、内部補強板41の凹状補強部42と内側板23の凹状補強部47とが嵌合されるとともに、内部補強板41のボルト挿入孔43h，44hと内側板23のボルト挿入孔48h，49hとが正確に位置決めされる。
【００３２】
図２に示されるように、内側板23のヒンジ取付面部48，49上には、複数のボルト挿入孔53h，54hをそれぞれ有するヒンジ53，54が当接される。これらのヒンジ53，54は、内側板23のヒンジ取付面部48，49上に固定される一側のプレートに対して、軸部材により、他側のプレートが回動自在に連結され、この他側のプレートに、このサイドドア17を機体フレーム側に取付けるためのボルトを挿入する取付穴が穿設されている。
【００３３】
そして、ヒンジ53，54のボルト挿入孔53h，54hに挿入されたボルト55bを、内側板23のボルト挿入孔48h，49hを通して、内部補強板41のヒンジ取付凸部43，44の各ボルト挿入孔43h，44hの裏面にそれぞれ溶接されたナット（図示せず）に螺入し締付けることにより、ヒンジ53，54を取付ける。
【００３４】
図１に示されるように、内側板23は、外側板21に密着された接合部27，28に沿って膨出成形された凸部29の中間部に段差状の補強変形部56が形成され、この段差状の補強変形部56により外側板21に対し凸部29の十分な高さを確保するとともに強度を確保している。
【００３５】
特に、太い横梁状の補強用凸部29bは、補強変形部56および強化用凹部30により、断面二次モーメントなどの断面性能に優れ、曲げ応力などに対して変形しにくい特性を有する。
【００３６】
一方、小型断面の補強用凸部29cは、補強用凸部29bより小幅に形成されているため、通気用開口部25の開口面積を大きく形成することができ、かつ、ヒンジ取付側の補強板収納凸部29aおよびラッチ取付側の補強用凸部29dと接続される箇所の突出部57より低く形成されているため、容易に絞り加工できる。
【００３７】
図１２に示されるように、ドアパネル20の上部は、その下側のほぼ垂直部分よりも機体側に折曲されているが、この折曲加工をする際に内側面23のヒンジ取付側の補強板収納凸部29aおよびラッチ取付側の補強用凸部29dの各上部に皺が発生しやすい。そこで、図２および図３に示されるように、内側板23のヒンジ取付側の補強板収納凸部29aおよびラッチ取付側の補強用凸部29dを折曲加工する場所に、折曲加工の際に皺の発生を防止する皺発生防止凹部58，59が形成されている。
【００３８】
図２に示されるように、内部補強板41にも、内側板23の一方の皺発生防止凹部58と嵌合する凹部60が形成され、皺発生防止凹部58との干渉を防止している。
【００３９】
図２および図３に示されるように、内側板23の他方の皺発生防止凹部59の下側に位置する補強用凸部29dには、制振凹部61，62およびラッチ取付穴63が設けられている。これらの制振凹部61，62は、ドアパネル20の振動防止に利用され、図１２に示されるように閉じ状態にあるドアパネル20の制振凹部61，62に、機体側フレームに取付けられた制振凸部（図示せず）が嵌合して、ドアパネル20の上下方向の振動を抑えることができる。
【００４０】
図１乃至図４に示されるように、外側板21の通気用開口部25aおよび内側板23の通気用開口部25bには、内側板23に固定された多孔金属板により成形された除塵スクリーン71が設けられている。この除塵スクリーン71には、図５、図６および図８に示されるように小さな多数の丸穴状またはハニカムコア形状の通気穴72が予め穴開き加工されている。
【００４１】
この除塵スクリーン71は、通気穴72が全領域に穴開き加工された市販のパンチングメタルを用いても良いし、プレス打抜き加工、ドリル加工、放電加工またはレーザ加工などの加工機により、外側板21および内側板23の通気用開口部25に対応する領域に通気穴72を穿設したものでも良い。この除塵スクリーン71をパンチングメタルで成形する場合は、板厚１．０ｍｍ以下のメタルシートに、穴径１．０ｍｍ〜５．０ｍｍの通気穴72を、穴径の１／３程度の穴間ピッチで穿設したものが望ましい。
【００４２】
図２、図３および図５に示されるように、除塵スクリーン71は、内側板23の最上段の補強用凸部29bに固定される最上端固定部73と、ドアパネル20の最上段の通気用開口部25に膨出される最上段の膨出成形部74と、内側板23の上から第２段の補強用凸部29cに嵌着される中間固定部75と、ドアパネル20の中段の通気用開口部25に膨出される中段の膨出成形部76と、内側板23の上から第３段の補強用凸部29bに嵌着される中間固定部77と、ドアパネル20の最下段の通気用開口部25に膨出される最下段の膨出成形部78と、内側板23の最下段の補強用凸部29bに固定される最下端固定部79とを備えている。
【００４３】
この除塵スクリーン71の各膨出成形部74，76，78には、ドアパネル20の各通気用開口部25に２列が対応するように小さな突条部80がそれぞれ形成されている。これらの突条部80は、除塵スクリーン71の濾過面積を平面の場合より拡大することができる。
【００４４】
図２および図３に示されるように、各膨出成形部74，76，78の左右端部には、内側板23の補強板収納凸部29aおよび補強用凸部29dの斜面部に係合されるフランジ状部81がそれぞれ一体に形成され、これらの各フランジ状部81の上下部には切欠部82がそれぞれ切欠形成されている。これらの切欠部82を設けることで、内側板23の各通気用開口部25bのコーナー部との干渉を防止できるとともに、除塵スクリーン71の過度な絞り加工を防止できる。
【００４５】
図２に示されるように、除塵スクリーン71の一側縁部および反対側の他側縁部としての最上端固定部73および最下端固定部79には、相互に対向する方向に複数の固定溝83，84がそれぞれ切込み形成されている。さらに、各中間固定部75，77には、複数の固定穴85，86がそれぞれ穿設されている。
【００４６】
除塵スクリーン71の上から第２段の中間固定部75は、内側板23の上から第２段の補強用凸部29cの両端部に形成された突出部57より低く形成された部分の高さに合わせて、突出部57を覆う端部87より低く形成されている。この除塵スクリーン71の中間固定部75に上記固定穴85とともに、内側板23に向かって凹部を有する複数の位置決め用変形部88が一体に成形されている。
【００４７】
一方、内側板23の最上段から最下段に至る各段の補強用凸部29bおよび補強用凸部29cには、除塵スクリーン71の各固定溝83，84および各固定穴85，86にそれぞれ挿入される複数のスタッドボルト91が、スタッド溶接によって予め一体的に取付けられている。
【００４８】
さらに、図２および図１０に示されるように、内側板23の第２段の補強用凸部29cには、除塵スクリーン71の複数の位置決め用変形部88と嵌合する凸状の複数の除塵スクリーン位置決め用変形部92が一体に成形されている。
【００４９】
図１、図４および図７に示されるように、内側板23の各通気用開口部25bの周縁に沿ってシール部材93が貼付され、このシール部材93により、除塵スクリーン71と内側板23の各通気用開口部25bの周縁との間をシールする。
【００５０】
このシール部材93は、図７に示されるように、撥水性を有するシール本体94と、このシール本体94の除塵スクリーン71との接触面に設けられた保護フィルム95とを具備したものである。シール本体94としては、エチレン、プロピレン、ブタジエン類を重合して得られるＥＰＤＭ系フォームシール材が望ましく、耐候性、耐熱老化性などに優れている。保護フィルム95は、ポリエチレン・テレフタラート（ＰＥＴ）フィルムが望ましく、比較的耐久性に優れ熱にも強い。
【００５１】
この図７に示されるように、除塵スクリーン71の各膨出成形部74，76，78は、接着剤34aにより外側板21に接着された内側板23の通気用開口部25bから外側板21の通気用開口部25aに膨出される形状に成形されている。すなわち、除塵スクリーン71の各膨出成形部74，76，78は、外側板21の外表面より僅かに突出している。このため、除塵スクリーン71と外側板21との隙間を小さくすることができる。
【００５２】
図８および図９に示されるように、除塵スクリーン71の上下の端縁部は、通気穴72に掛からない線上で折返して押潰されたヘム曲げ加工部96により、連続するように形成され、通気穴72での折返により通気穴72が鋸歯状になることを防止している。
【００５３】
次に、このサイドドア17の製造工程を説明する。
【００５４】
外側板21と内側板23とを内部補強板41を介してヘミング加工部33により一体化するとともに熱硬化性の接着剤34により接着して一体化する。
【００５５】
その内側板23に除塵スクリーン71を取付ける。この除塵スクリーン71の取付は、先ず、内側板23の最上段または最下段のいずれか一方のスタッドボルト91に除塵スクリーン71の対応する一側縁部の固定溝83または84を差込むとともに内側板23に押付け、そこを軸または支えとして除塵スクリーン71の反対側の他側縁部を内側板23に押し当てることで、除塵スクリーン71の他側縁部に切込み形成された複数の固定溝84または83を、内側板23の対応するスタッドボルト91に嵌着するとともに、除塵スクリーン71の中間部に穿設された各固定穴85，86を、内側板23の対応するスタッドボルト91に嵌着する。
【００５６】
このとき、除塵スクリーン71の各固定溝83，84および各固定穴85，86と、内側板23の対応するスタッドボルト91との間には僅かな隙間があり、これらの嵌着が円滑にできるものの、位置合わせは正確でない。そこで、図１０に示されるように、除塵スクリーン71の複数の位置決め用変形部88を、内側板23の第２段の補強用凸部29cに設けられた凸状の複数の除塵スクリーン位置決め用変形部92に嵌合させることで、除塵スクリーン71を正確に位置決めして、図１に示されるように、各スタッドボルト91にそれぞれ螺合されたナット97により、除塵スクリーン71を固定する。
【００５７】
次に、上記実施の形態から得られる作用効果を説明する。
【００５８】
ドアパネル20の通気用開口部25に対応する領域に微細な通気穴72が穴開き加工されるとともに膨出成形部74，76，78と突条部80が繰返し形成された除塵スクリーン71を内側板23に固定したので、外側板21に小さな穴を直接加工した場合より、除塵スクリーン71を介して、ドアパネル20に小さな穴を容易に設けることができるとともに、膨出成形部74，76，78と複数の突条部80により、除塵スクリーン71の剛性を上げて、小さな通気穴72を加工する上で必要な薄い金属板を用いても強度を確保できるとともに、必要な濾過面積を確保できる。
【００５９】
すなわち、大きな外側板21に加工することができない加工機であっても、除塵スクリーン71であれば、飛散する粉塵をも吸込まないように捕捉することができる程度に微細な通気穴72を無数に加工することができ、極小な穴加工を予め施したプレートに凹凸を付けることで除塵スクリーン71の剛性を強化し、これを内側板23の通気用開口部25に裏側から装着することによって、十分な通気性能と剛性とを得ることが可能となる。
【００６０】
通気用開口部25を有する外側板21および内側板23からなる２重構造のドアパネル20において、除塵スクリーン71が、内側板23から、この内側板23の通気用開口部25bの周縁に沿って貼付されたシール部材93を経て、外側板21の通気用開口部25aに膨出される形状に成形されたので、除塵スクリーン71から全周縁のシール部材93に均等にシール圧が作用して、内側板23と除塵スクリーン71との隙間からドアパネル内側に塵埃が侵入することを阻止する良好なシール性能を保つことができる。
【００６１】
通気用開口部25を有する外側板21および内側板23からなる２重構造のドアパネル20において、内側板23に固定された除塵スクリーン71が、内側板23の通気用開口部25bから外側板21の通気用開口部25aに膨出される形状に成形された多孔金属板であるので、通気穴72の穴径をより小径とするために除塵スクリーン71を薄くしても、膨出形状により変形に対し一定の強度を保持でき、しかも内側板23および外側板21の通気用開口部25内に除塵スクリーン71の膨出部分を嵌合するようにしながら除塵スクリーン71を通気用開口部25に容易に取付けることができる。
【００６２】
内側板23の通気用開口部25bの周縁に沿って貼付されたシール部材93により、除塵スクリーン71と内側板23の通気用開口部25bの周縁との間をシールするので、このシール部材93により、本来のシール効果とともに、除塵スクリーン71と内側板23との間のメタルタッチを防止でき、損傷部から錆発生を引起すおそれもあるメタルタッチに配慮することなく、除塵スクリーン71を内側板23の通気用開口部25bに容易に取付けることができる。
【００６３】
シール部材93は、撥水性を有するシール本体94により、このシール本体94が金属の錆の原因となる水分を吸収保持することがなく、内側板23などに錆が発生するおそれを防止でき、また、シール本体94の除塵スクリーン71との接触面側に設けられた保護フィルム95により、多孔状の除塵スクリーン71が鑢のようにシール本体94を削る作用を防止でき、シール部材93の耐久性を向上できる。
【００６４】
除塵スクリーン71は、厚さ１ｍｍ以下のメタルシートであれば穴径１ｍｍ〜５ｍｍの通気穴72が穿設されたパンチングメタルを製造することが可能であり、この穴径のパンチングメタルによれば、空気中の塵埃除去にも一定の効果がある。
【００６５】
除塵スクリーン71の複数の位置決め用変形部88を、内側板23の複数の除塵スクリーン位置決め用変形部92に嵌合することで、除塵スクリーン71を内側板23の通気用開口部25bに容易かつ正確に位置決めでき、除塵スクリーン71の組付け時の作業性および作業精度を向上できる。
【００６６】
除塵スクリーン71の一側縁部に切込み形成された複数の固定溝83または84を、内側板23の対応するスタッドボルト91に一側端から差込むとともに内側板23に押付け、そこを軸または支えとして除塵スクリーン71の反対側の他側縁部を内側板23に押し当てることで、除塵スクリーン71の他側縁部に切込み形成された複数の固定溝84または83を、内側板23の対応するスタッドボルト91に容易に嵌着でき、各スタッドボルト91に螺合されたナット97により除塵スクリーン71を内側板23の通気用開口部25bに容易に固定でき、除塵スクリーン71の固定時の作業性を向上できる。
【００６７】
次に、図１５乃至図１７は、他の実施の形態を示し、ドアパネル20のパネル全高がアップするとともに、ドアパネル20には、４列の通気用開口部25が設けられている。さらに、図１６に示されるように、内側板23にて、凹状の強化用凹部30を有する太い補強用凸部29bは、最上段および最下段のみに設けられ、第２段、第３段および第４段の横梁部は、小型断面の補強用凸部29cで構成されている。
【００６８】
これにともなって、図１７に示されるように、除塵スクリーン71の３段の中間固定部75a，75b，75cは、内側板23の第２段、第３段および第４段の補強用凸部29cの両端部に形成された突出部57より低く形成された部分の高さに合わせて、突出部57を覆う端部87より低く形成されている。この除塵スクリーン71の２段の中間固定部75a，75cに、固定穴85とともに４つの位置決め用変形部88が一体に成形されている。
【００６９】
一方、図１６に示されるように、内側板23の第２段および第４段の小型断面の補強用凸部29cに、上記４つの位置決め用変形部88と嵌合する４つの凸状の除塵スクリーン位置決め用変形部92が一体に成形されている。他の構造および作用効果は、前記実施の形態と同様であるから、その説明を省略する。
【００７０】
本発明は、油圧ショベル、ローダ、ブルドーザなどの作業機械の例えばラジエータ室、バッテリ室またはポンプ室などのサイドドアなどに利用可能なドアパネルである。
【図面の簡単な説明】
【００７１】
【図１】本発明に係るドアパネルの一実施の形態を示す断面図である。
【図２】同上ドアパネルの分解斜視図である。
【図３】同上ドアパネルの内面図である。
【図４】図３のIV−IV線断面図である。
【図５】同上ドアパネルの除塵スクリーンの全体を示す縦方向断面図である。
【図６】同上ドアパネルの除塵スクリーンの一部を拡大して示す斜視図である。
【図７】同上ドアパネルのシール部材の装着状態を示す断面図である。
【図８】同上ドアパネルの除塵スクリーンの端縁部を示す拡大正面図である。
【図９】図８のIX−IX線断面図である。
【図１０】同上ドアパネルの除塵スクリーン位置決め部を示す断面図である。
【図１１】同上ドアパネルを備えた作業機械の平面図である。
【図１２】同上ドアパネルを作業機械に取付けた箇所の斜視図である。
【図１３】同上ドアパネルから除塵スクリーンを取除いた状態を示す内面図である。
【図１４】同上ドアパネルの除塵スクリーンのみを示す正面図である。
【図１５】同上ドアパネルの他の実施の形態を作業機械に取付けた状態を示す斜視図である。
【図１６】図１５に示されたドアパネルから除塵スクリーンを取除いた状態を示す内面図である。
【図１７】図１５に示されたドアパネルの除塵スクリーンのみを示す正面図である。
【符号の説明】
【００７２】
20    ドアパネル
21    外側板
23    内側板
25    通気用開口部
27    接合部
71    除塵スクリーン
72    通気穴
83，84    固定溝
88    位置決め用変形部
91    スタッドボルト
92    除塵スクリーン位置決め用変形部
93    シール部材
94    シール本体
95    保護フィルム
97    ナット
【図１】
2010043481.tif 000003
【図２】
2010043481.tif 000004
【図３】
2010043481.tif 000005
【図４】
2010043481.tif 000006
【図５】
2010043481.tif 000007
【図６】
2010043481.tif 000008
【図７】
2010043481.tif 000009
【図８】
2010043481.tif 000010
【図９】
2010043481.tif 000011
【図１０】
2010043481.tif 000012
【図１１】
2010043481.tif 000013
【図１２】
2010043481.tif 000014
【図１３】
2010043481.tif 000015
【図１４】
2010043481.tif 000016
【図１５】
2010043481.tif 000017
【図１６】
2010043481.tif 000018
【図１７】
2010043481.tif 000019